(57)【要約】【課題】  パレットの側面に衝撃力が作用した場合に該衝撃を緩衝してパレットが損傷しないようにできる。緩衝突部を後工程で取付ける作業が必要でなく構造が簡略となる。【解決手段】  全体又は一部が硬質合成樹脂と軟質合成樹脂との二色成形により成形されたパレット１である。硬質合成樹脂よりなるパレット主体部２の外側面部から外側方に軟質合成樹脂よりなる緩衝突部３を一体に突設した。【選択図】        図１
2006298405.tif 000002
【特許請求の範囲】
【請求項１】
全体又は一部が硬質合成樹脂と軟質合成樹脂との二色成形により成形されたパレットであって、硬質合成樹脂よりなるパレット主体部の外側面部から外側方に軟質合成樹脂よりなる緩衝突部を一体に突設して成ることを特徴とするパレット。
【請求項２】
パレット主体部の外側面部の出隅コーナ部分に緩衝突部を突設して成ることを特徴とする請求項１記載のパレット。
【請求項３】
パレット主体部の外側面部から外側方に突出する緩衝突部の上部をパレット主体部の上面よりも上方に突出させて滑り止め突部として成ることを特徴とする請求項１又は請求項２に記載のパレット。
【発明の詳細な説明】
【技術分野】
【０００１】
本発明は、合成樹脂製のパレットに関するものである。
【背景技術】
【０００２】
従来からパレットの側面と上面とのなすコーナ部分に設けた凹段部にゴムのような弾性体よりなる緩衝部材を嵌め込んで取付けたものが特許文献１により知られている。
【０００３】
この従来例にあっては、合成樹脂でパレットを成形した後、パレットに別体の緩衝部材を嵌め込みにより取付けるものであるから、後工程で緩衝部材を嵌め込んで取付ける作業が必要であり、また、上記のようにして取付けた緩衝部材は嵌め込みにより取付けてあるため、他の物に当たった場合捲れて外れるおそれがある。
【特許文献１】特開平９−１６５０３９号公報
【発明の開示】
【発明が解決しようとする課題】
【０００４】
本発明は上記の従来の問題点に鑑みて発明したものであって、パレットの側面に衝撃力が作用した場合に該衝撃を緩衝してパレット主体部が損傷しないようにでき、また、緩衝突部を後工程で取付ける作業が必要でなく構造が簡略となるパレットを提供することを課題とするものである。
【課題を解決するための手段】
【０００５】
上記課題を解決するために本発明に係るパレットは、全体又は一部が硬質合成樹脂と軟質合成樹脂との二色成形により成形されたパレット１であって、硬質合成樹脂よりなるパレット主体部２の外側面部から外側方に軟質合成樹脂よりなる緩衝突部３を一体に突設して成ることを特徴とするものである。
【０００６】
このような構成とすることで、パレット１に他のパレット１が衝突したり、あるいは、パレット１が他の物に衝突したりした場合、パレット１の主体を構成する硬質合成樹脂よりなるパレット主体部２の外側面部から外側方に突出した軟質合成樹脂よりなる緩衝突部３が衝突することになるので、硬質合成樹脂よりなるパレット主体部２への衝撃を緩和し、パレット主体部２の損傷を防止できる。また、緩衝突部３とパレット主体部２とが二色成形で一体化してあるので、緩衝突部３に外力が作用しても、緩衝突部３がパレット主体部２から剥離して捲れるおそれがなく、長期間にわたって安定して緩衝効果を発揮できるものである。
【０００７】
また、パレット主体部２の外側面部の出隅コーナ部分に緩衝突部３を突設することが好ましい。
【０００８】
このような構成とすることで、パレット１において最も他の物と衝突しやすいパレット１の出隅コーナ部分に衝撃が加わった場合に、パレット主体部２の出隅部分が損傷するのを防止できる。
【０００９】
また、パレット主体部２の外側面部から外側方に突出する緩衝突部３の上部をパレット主体部２の上面よりも上方に突出させて滑り止め突部３ａとすることが好ましい。
【００１０】
このような構成とすることで、緩衝突部３が外部からの衝撃を緩和する機能に加えパレット１の上面に載置した載置物２０の滑り止め及び落下防止の機能も果たすことになる。
【発明の効果】
【００１１】
本発明は、パレットの側面に衝撃力が作用した場合に該衝撃を緩衝してパレットが損傷しないようにでき、また、二色成形で緩衝突部をパネル主体部の側面に一体成形してあるので、後工程で取付ける作業が必要でなく構造が簡略となる
【発明を実施するための最良の形態】
【００１２】
以下、本発明を添付図面に示す実施形態に基いて説明する。
【００１３】
図１乃至図５には本発明のパレット１の一実施形態が示してあり、パレット１は、その全体又は一部（具体的にはパレット１の上半分、下半分）が硬質合成樹脂と軟質合成樹脂との二色成形により成形されたパレット１であって、硬質合成樹脂よりなるパレット主体部２の外側面部から外側方に軟質合成樹脂よりなる緩衝突部３を一体に突出するように二色成形により成形してある。
【００１４】
ここで、二色成形とは１組の型締め装置に対して２組の射出装置を備え二色または２種類の成形材料（異種成形材料）を同時又は順次に射出する成形方法であるが、本発明の二色成形においては、使用する２種類の成形材料は、一方が硬質合成樹脂、他方が軟質合成樹脂であることが必須の条件となっており、硬質合成樹脂、軟質合成樹脂が同色の場合、異色の場合のいずれの場合も本発明の二色成形には含まれる。
【００１５】
図１乃至図５に示す実施形態においてパレット１の主体を構成するパレット主体部２は、パレット１の上半分を構成する上のパレット主体部２ａと、パレット１の下半分を構成する下のパレット主体部２ｂとの２構成部よりなり、上のパレット主体部２ａと下のパレット主体部２ｂとを溶着一体化して構成してある。上のパレット主体部２ａは図６に示すようなもので、平面視四角形状をしたデッキ部４の下面に下方に向けて複数の桁半部７ａを一体に突設して形成してある。
【００１６】
また、下のパレット主体部２ｂは下デッキ部４ａの上面に上方に向けて複数の桁半部７ｂを一体に突設してパレット主体部２ａを形成してある。
【００１７】
そして上記上のパレット主体部２ａの桁半部７ａと下のパレット主体部２ｂの桁半部７ｂとを突き合わせて溶着一体化することでパレット１を形成してあり、上記パレット１は桁半部７ａと桁半部７ｂとを溶着することで桁部７が形成され、桁部７間がフォーク挿入部６となっている。
【００１８】
添付図面に示す各実施形態ではフォーク挿入部６は前後左右の各側面に開口した４方差しの例を示しているが、前後の側面のみ、又は左右の側面のみに開口する２方差しのものであってもよい。
【００１９】
上のパレット主体部２ａ、下のパレット主体部２ｂは溶着一体化することでパレット１としての形状を確保し且つパレット１としての強度を有するものであり、したがって、これら上のパレット主体部２ａ、下のパレット主体部２ｂはそれぞれ硬質合成樹脂により成形してある。ここで、使用される硬質合成樹脂としては例えば、ＰＰ（ポリプロピレン）、ＰＥ（ポリエチレン）、ＨＤＰＥ（高密度ポリエチレン）、ＰＣ（ポリカーボネート）、ＰＶＣ（塩化ビニル樹脂）、ＡＢＳ樹脂等が使用され、これらの第一の合成樹脂としてはバージン樹脂であってもよく、あるいは、合成樹脂製品の廃棄物を原料とする再生樹脂であってもよい。
【００２０】
ここで、添付図面に示す実施形態では上のパレット主体部２ａは硬質合成樹脂で成形するのであるが、この上のパレット主体部２ａを硬質合成樹脂で成形する際、上のパレット主体部２ａの外側面部に軟質合成樹脂で緩衝突部３を成形する（つまり二色成形する）ものであり、緩衝突部３を成形するための軟質合成樹脂としては、オレフィン系エラストマー、スチレン系エラストマー、エチレン酢ビ共重合体等が使用される。また、緩衝突部３を成形するための軟質合成樹脂と、パレット主体部２（上のパレット主体部２ａ、下のパレット主体部２ｂ）を成形するための硬質合成樹脂とは異なる色となっている。
【００２１】
なお、添付図面に示す実施形態では、パレット１の下半分を構成する下のパレット主体部２ｂは硬質構成樹脂の射出成形により成形する。
【００２２】
添付図面においては、上のパレット主体部２ａの外側面部の上部の全周にわたって外側方に向けて緩衝突部３が突設してあって後述するようなパレット１同士が衝突した場合やパレット１が壁等の障害物に衝突した際に、軟質合成樹脂により形成した緩衝突部３により衝撃を吸収して硬質合成樹脂よりなるパレット１が損傷するのを防止している。また、パレット１を多段積みしたときに、上方のパレット１を下ろす際、誤って落下させた場合にパレット１が破損するのを緩衝突部３により防止することができる。更に、添付図面においては、該緩衝突部３の上部が上のパレット主体部２の上面よりも上方に突出してあって滑り止め突部３ａとなっていて、緩衝突部３が外部からの衝撃を緩和する機能に加えパレット１の上面に載置した載置物２０の滑り止めの機能も果たすことになる。
【００２３】
上記緩衝突部３の上部に形成された滑り止め突部３ａは図１０のようなものであってもよく、あるいは図４に示すように滑り止め突部３ａがパレット主体部２の上面部に積層一体化した滑止め部８と一体に連続したものであってもよく、この場合はパレット主体部２の外側面部から外側方に向けて一体に突出する緩衝突部３とパレット主体部２の上面部から上方に向けて突出するように積層一体化した滑止め部８とが滑り止め突部３ａ部分を介して断面逆Ｌ字状に連続一体化したものとなり、軟質合成樹脂により緩衝突部３を二色成形でパレット主体部２の外側面部に一体に成形する際同時に軟質合成樹脂により滑止め部８をパレット主体部２の上面部に一体に成形することができる。
【００２４】
また、図１１に示すようにパレット主体部２の上面部に積層一体化した滑止め部８を上のパレット主体部２の外側面部よりの外側方に突出させて緩衝突部３を形成してもよい。
【００２５】
図１、図２に示す実施形態では滑止め部８は、上のパレット主体部２ａの上面の外周に設けられた外周滑止め部８ａと、該外周滑止め部８ａに囲まれた部分に設けられた内側滑止め部８ｂとで構成してあり、内側滑止め部８ｂは図１、図２の実施形態においては、前後方向、左右方向の内側滑止め部８ｂがクロスした平面視十字状をしており、これにより、上のパレット主体部２ａの上面の左右方向には左右両側及び中央部に前後方向に長い滑止め部８が存在し、上のパレット主体部２ａの上面の前後方向には前後両側及び中央部に左右方向に長い滑止め部８が存在し、パレット１上面に載置物を載置した場合、前後方向、左右方向に載置物が滑るのを防止するようになっている。上記のように滑止め部８を各直線部同士を連結したものとすることで、金型に少ないゲート点数を形成しても、合成樹脂を容易に流すことが可能になり、金型の構造を簡素化することができる。また、パレット１を屋外で使用する場合上記のように滑止め部８を各直線部同士を連結した田の字状や目の字状にすると、雨水が溜まったりするので、滑止め部８に部分的に切欠きを形成したり、あるいは滑止め部８の近傍に水抜きの孔を形成する。
【００２６】
また、図４、図５に示す実施形態では滑止め部８の上面の一部が上のパレット主体部２ａの上面よりも上方に突出した滑り止め突部１２となっていると共に露出上面の他の一部が上のパレット主体部２ａの上面と二色成形の境界を介して面一に連続する平坦面１４となっており、また、平坦面１４と滑り止め突部１２とは傾斜面１５を介してつながっている。平坦面１４と傾斜面１５の境界が湾曲にしてあって、上のパレット主体部２ａの上面に溜まったゴミや砂等を容易にほうきで払うことができるようになっている。
【００２７】
ここで、上のパレット主体部２ａのフォーク挿入部６の上面に軟質合成樹脂よりなるフォーク滑止め部１１を上のパレット主体部２に一体に設けてもよい。この場合、図５に示すように軟質合成樹脂で上のパレット主体部２ａの上面及び外側面に二色成形で滑止め部８と緩衝突部３とを二色成形で成形する際、同時に軟質合成樹脂で上のパレット主体部２のデッキ部４を貫通一体化した貫通部９を二色成形で一体に成形し、該貫通部９の上部を滑止め部８と一体に成形する。この貫通部９の下端面部はフォーク挿入部６内に露出していてフォーク滑止め部１１となっている。フォーク滑止め部１１の一部はデッキ部４の下面のフォーク挿入部６に対応する部位（つまりフォーク挿入部６の上面）から下方に向けて突出してフォーク滑り止め突部１７となっていると共に、フォーク滑止め部１１の他の一部がフォーク挿入部６の上面と面一となる平坦面１８となっており、また、平坦面１８とフォーク滑り止め突部１７とは傾斜面１９を介してつながっている。なお、添付図面の実施形態ではデッキ部４は下面に多数のリブ１０を突出したものであり、したがって、デッキ部４の下面とはデッキ部４に設けたリブ１０の下面のことである。
【００２８】
そして、フォーク挿入部６にフォークリフトのフォークを挿入してフォークによりパレット１を上方に持ち上げた場合、上記フォーク挿入部６の上面に存在する軟質合成樹脂よりなるフォーク滑止め部１１がフォークの上面に載置され、これによりフォークに対してパレット１が滑るを防止できる。この場合、軟質合成樹脂よりなるフォーク滑止め部１１が硬質合成樹脂よりなる上のパレット主体部２ａと二色成形で一体に成形してあるので、フォーク挿入時にフォークの先端がフォーク滑止め部１１に衝突しても、フォーク滑止め部１１が上のパレット主体部２から剥離することがなく、特に、二色成形で上のパレット主体部２ａを貫通して横方向に積層一体化された貫通部９を介して、二色成形で上のパレット主体部２ａの上面に積層一体化された滑止め部８及び外側面に一体化された緩衝突部３と、二色成形でフォーク挿入部６の下面側に成形されたフォーク滑止め部１１とが一体化しているので、これら滑止め部８、緩衝突部３、貫通部９、フォーク滑止め部１１を一体に成形している軟質合成樹脂と、上のパレット主体部２ａを成形している硬質合成樹脂とが二色成形で強固に一体化し、界面剥離等が生じる恐れがないのである。
【００２９】
上記実施形態の場合、図５に示すように上のパレット主体部２ａの上面に載置物２０を載置するに当たって、上のパレット主体部２ａの上面の一部に載置物２０を載せた状態で図５の矢印イ方向に移動する際、載置物２０の先端部下面が平坦面１４に載った状態で滑り止め突部１２の側面である傾斜面１５に突き当たることになり、従って、傾斜面１５に突き当たった際の力で滑止め部８が剥離して捲れようとしても平坦面１４を載置物２０で押し下げていることになるので、滑止め部８が剥離して捲れるのが防止され、また、傾斜面１５にガイドされて載置物２０がスムーズに滑り止め突部１２の上面に載置される。
【００３０】
同様に、フォーク挿入部６にフォーク２１を図５の矢印ロ方向に挿入する際、フォーク２１の先端がフォーク滑止め部１１の側面の傾斜面１９に突き当たっても、傾斜面１９に突き当たった際の力でフォーク滑止め部１１が剥離して捲れようとしても平坦面１８をフォーク２１の上面で押付けていることになるので、フォーク滑止め部１１が剥離して捲れるのが防止され、また、傾斜面１９にガイドされてフォーク２１がフォーク滑り止め突部１７の下方に移動するように挿入できる。
【００３１】
しかして、上記のような構成のパレット１は、硬質合成樹脂よりなる上のパレット主体部２ａの外側面部に外側方に突出する軟質合成樹脂よりなる緩衝突部３を二色成形により一体に成形してあるので、図７（ａ）のように、他のパレット１が衝突しても硬質合成樹脂で成形した上のパレット主体部２ａと一体となった軟質合成樹脂で成形した緩衝突部３で衝撃を吸収でき、パレット１の損傷を防止できる。また、図７（ｂ）のようにパレット１が壁２２などに衝突しても軟質合成樹脂よりなる緩衝突部３が壁２２などに衝突することになって衝撃を吸収し、硬質合成樹脂よりなるパレット１の損傷を防止できる。また、上記各例のように衝突して緩衝突部３に外力が作用しても緩衝突部３と上のパレット主体部２ａとが二色成形で一体化してあるので、緩衝突部３が上のパレット主体部２ａから剥離して捲れるおそれがなく、長期間にわたって安定して緩衝効果を発揮できるものである。
【００３２】
ところで、パレット１が壁２２のような他の物に衝突する場合、パレット１の出隅コーナ部分が最も衝突し易いが、上のパレット主体部２ａの外側面部の出隅コーナ部分に緩衝突部３を突設することで、パレット１において最も他の物を衝突しやすいパレット１の出隅コーナ部分に衝撃が加わった場合に、パレット１の出隅部分が損傷するのを防止できるものである。
【００３３】
また、パレット１を並べる際、できるだけパレット１の配置スペースを狭くするために図８（ａ）に示すように隣接するパレット１同士が当接しない場合は、広い配置スペースが必要なので、隣接するパレット１同士を付き合わせて配置するのであるが、この場合、図８（ｂ）→（ｃ）のように突き合された軟質合成樹脂よりなる緩衝突部３が圧縮されてパレット主体部２の外側面部間の間隔が狭くなり、これによりパレット１を並べた場合の配置スペースを更に狭くできることになる。
【００３４】
なお、添付図面に示す各実施形態では上のパレット主体部２ａの外側面部の上部の全周にわたって連続する緩衝突部３を外側方に向けて一体に突設した例を示しているが、上のパレット主体部２ａの外側面部の上部の全周に複数の緩衝突部３外側方に向けて任意の間隔を隔てて隔設してもよい。この場合、少なくとも上のパレット主体部２ａの出隅コーナ部分には緩衝突部３を突設するのが好ましい。
【００３５】
また、硬質合成樹脂よりなる上のパレット主体部２ａの外側面部に軟質合成樹脂よりなる緩衝突部３を形成し、硬質合成樹脂よりなる下のパレット主体部２ｂの外側面部に硬質合成樹脂よりなる硬質突部を形成したものであってもよい。この場合、軟質合成樹脂よりなる緩衝突部３により前述のような効果があるのはもちろんのこと、パレット１を縦向きにして引きずっても、硬質突部と軟質合成樹脂の緩衝突部３とが地面に当たることになり、軟質合成樹脂の緩衝突部３のみが地面に当たる場合に比べ、軟質合成樹脂の緩衝突部３が削れ落ちることがないものである。
【００３６】
また、上記実施形態では硬質合成樹脂よりなる上のパレット主体部２ａの外側面部に軟質合成樹脂よりなる緩衝突部３を二色成形で一体に成形したものの例で示したが、図９に示すように下のパレット主体部２ｂも上のパレット主体部２ａと同様に、硬質合成樹脂よりなる下のパレット主体部２ｂの外側面部に軟質合成樹脂よりなる緩衝突部３を二色成形で一体に成形してもよく、この場合、下のパレット主体部２ｂに緩衝突部３、滑止め部８、貫通部９、フォーク滑止め部１１を二色成形で一体に成形してもよい。これにより、上記のようにして得た上のパレット主体部２ａと下のパレット主体部２ｂとを溶着して形成したパレット１は外側面の上下に緩衝突部３が存在して緩衝効果が向上し、更に、パレット１を上下反転して使用しても載置物の滑り止めとフォークの滑り止めの機能がある。
【００３７】
また、添付図面に示す実施形態では上のパレット主体部２ａと下のパレット主体部２ｂとを溶着してパレット１を形成した例で説明したが、全体を二色成形で一体に成形したパレット１であってもよく、この場合の二色成形は、パレット１の主体を構成するパレット主体部２全体を硬質合成樹脂で成形すると共にパレット主体部２の外側面部に軟質合成樹脂よりなる緩衝突部３を二色成形により一体に成形するものである。また、パレット１の主体を構成するパレット主体部２全体を硬質合成樹脂で成形すると共に、緩衝突部３、滑止め部８、貫通部９、フォーク滑止め部１１を二色成形で一体に成形してもよい。
【００３８】
また、本発明において２色成形によりパレット１を成形するに当たって、緩衝突部３、滑止め部８を成形するための軟質合成樹脂と、パレット主体部２（上のパレット主体部２ａ、下のパレット主体部２ｂ）を成形するための硬質合成樹脂とが異なる色のものを使用してもよい。
【００３９】
ここで、パレット１の主体となるパレット主体部２（上のパレット主体部２ａ、下のパレット主体部２ｂ）を成形するための硬質合成樹脂として合成樹脂製品の廃棄物を原料とする再生樹脂を使用すると、合成樹脂のリサイクルによる資源の再利用が図れると共に、バージン樹脂でパレット主体部２を成形する場合に比べて安価に成形できる。しかも、再生樹脂を使用してパレット主体部２を成形した場合、既に述べたように、パレット主体部２が黒系又は灰色系の暗い色合いになってしまって、これのみではパレット１としての商品価値が著しく低下するが、再生樹脂よりなるパレット主体部２にパレット主体部２と色の異なる緩衝突部３、滑止め部８を二色成形で一体化してあるので、緩衝突部３、滑止め部８を成形する軟質合成樹脂を上記再生樹脂よりなる硬質合成樹脂よりも明るい色ものとすることにより、再生樹脂でパレット１の主体であるパレット主体部２を成形したと言えどもパレット１の外観がカラフルな色合いとなって、とても再生樹脂を使用したというような外観とならず、商品価値の高いものにすることができ、また、暗い色合いの再生樹脂だけで成形した場合、夜間や倉庫内の暗い場所に置かれたパレット１が明確に識別し難にくいが、色の異なる緩衝突部３、滑止め部８を有しているので、夜間や倉庫内の暗い場所に置かれたパレット１の存在を明確に確認できることになり、特に、パレット主体部２の外周に明るい色合いの軟質合成樹脂で成形した緩衝突部３、滑止め部８が一体成形されることで、夜間や倉庫内の暗い場所に置かれたパレット１の外周の輪郭が明瞭に確認できる。
【図面の簡単な説明】
【００４０】
【図１】本発明のパレットの一実施形態の斜視図である。
【図２】同上の平面図である。
【図３】同上の図２のＡ−Ａ線の断面図である。
【図４】同上の図２のＢ−Ｂ線の拡大断面図である。
【図５】同上の図２のＣ−Ｃ線の拡大断面図である。
【図６】同上に使用する上のパレット主体部の断面図である。
【図７】（ａ）はパレットに他のパレットが衝突する例を示す説明図であり、（ｂ）パレットが壁のような障害物に衝突する例を示す説明図である。
【図８】（ａ）（ｂ）（ｃ）はパレット同士を突き合わせて隣接するパレット間の隙間を狭くするために軟質合成樹脂よりなる緩衝突部同士を押し縮める場合を示す説明図である。
【図９】本発明のパレットの他の実施形態の断面図である。
【図１０】本発明のパレットの更に他の実施形態の断面図である。
【図１１】本発明のパレットの更に他の実施形態の断面図である。
【符号の説明】
【００４１】
１  パレット
２  パレット主体部
３  緩衝突部
３ａ  滑り止め突部
【図１】
2006298405.tif 000003
【図２】
2006298405.tif 000004
【図３】
2006298405.tif 000005
【図４】
2006298405.tif 000006
【図５】
2006298405.tif 000007
【図６】
2006298405.tif 000008
【図７】
2006298405.tif 000009
【図８】
2006298405.tif 000010
【図９】
2006298405.tif 000011
【図１０】
2006298405.tif 000012
【図１１】
2006298405.tif 000013